(57)【特許請求の範囲】
【請求項１】
切り込み線を不連続に配置したミシン目が形成される帳票において、
前記帳票には、前記ミシン目が形成される範囲と、前記ミシン目の延長線上にある前記ミシン目が形成されない範囲とが設定されており、
前記ミシン目が形成されない範囲の少なくとも一部には、前記ミシン目が形成されない位置又はその長さの少なくとも一方を示す指標が表示されている
ことを特徴とする帳票。
【請求項２】
請求項１に記載の帳票において、
前記帳票は、連続帳票であり、
前記ミシン目が形成されない範囲は、前記連続帳票の帳票間の連接部を含む位置に設定されている
ことを特徴とする帳票。
【請求項３】
請求項１又は２に記載の帳票において、
前記指標は、前記ミシン目が形成される範囲との境界部に設けられた点、又は前記ミシン目が形成されない範囲内に設けられた点線，破線，鎖線，若しくは実線である
ことを特徴とする帳票。
【発明の詳細な説明】
【０００１】
【産業上の利用分野】
この発明は、ミシン目が形成される帳票において、特にミシン目が形成されないアンカット部に指標を設けた帳票に関するものである。
【０００２】
【従来の技術】
従来より、この種のミシン目が形成された帳票は、例えばメールフォームとして広く使用されている。
一般のメールフォームでは、２枚の連接された帳票片からなり、その連接辺にミシン目を形成したものが知られている。このメールフォームでは、帳票片に種々の情報（秘密にすべき情報を含む）を印字し、印字面同士が密着するようにメールフォームを連接辺から折り返し、帳票片同士を密着させる。帳票片の密着面（印字面）には、剥離可能な粘着剤が塗布されている。従って、帳票片同士が密着されると、帳票片は剥離可能に密着され、印字された情報は一時的に隠蔽される。
【０００３】
連接辺にミシン目を形成しているのは、連接辺を折り返しやすくして、常に一定の位置で折り返されるようにするためである。また、ミシン目は、連接辺の全範囲に形成されない。すなわち、連接辺に垂直なメールフォームの２辺とミシン目とは交差せず、ミシン目の端部と連接辺に垂直なメールフォームの２辺とは、所定間隔が設けられている。このように形成するのは、密着した帳票片を開封（剥離）したときに、力が集中する端部のミシン目が裁断され、その裁断がきっかけとなって、帳票片同士が分離してしまうことを防止するためである。
【０００４】
【発明が解決しようとする課題】
しかし、前述の従来の技術では、ミシン目が設定位置に対して正確に形成されない場合があった。このため、例えばメールフォームの連接辺と直交する２辺の少なくとも一方と、ミシン目端部とが近接したり、あるいは交差してしまい、メールフォームの開封時に帳票片同士が分離してしまうという問題があった。また、メールフォームの製造後に、ミシン目が形成されない位置やその長さを確認することは困難であった。
【０００５】
本発明は、上述のような課題を解消するためになされたものであって、ミシン目が形成される帳票において、ミシン目が形成されない位置や長さを一目で確認することができるようにすることを目的とする。
【０００６】
【課題を解決するための手段】
上述の目的を達成するために、請求項１の発明は、切り込み線を不連続に配置したミシン目（１３）が形成される帳票（１０）において、前記帳票には、前記ミシン目が形成される範囲と、前記ミシン目の延長線上にある前記ミシン目が形成されない範囲とが設定されており、前記ミシン目が形成されない範囲の少なくとも一部には、前記ミシン目が形成されない位置又はその長さの少なくとも一方を示す指標（１４）が表示されていることを特徴とする。
【０００７】
請求項２の発明は、請求項１に記載の帳票において、前記帳票は、連続帳票であり、前記ミシン目が形成されない範囲は、前記連続帳票の帳票間の連接部を含む位置に設定されていることを特徴とする。
請求項３の発明は、請求項１又は２に記載の帳票において、前記指標は、前記ミシン目が形成される範囲との境界部に設けられた点、又は前記ミシン目が形成されない範囲内に設けられた点線，破線，鎖線，若しくは実線であることを特徴とする。
【０００８】
【作用】
請求項１の発明においては、ミシン目が形成されない範囲の少なくとも一部には、指標が表示される。そして、ミシン目が形成されない位置が正確であるか否かは、この指標に基づき判別される。
請求項２の発明においては、連続帳票の帳票間の連接部を含む位置に指標が表示される。従って、一般のメールフォームに広く適用することができる。また、各帳票の上下側の外縁部を示す線を指標と併せて表示することができる。
請求項３の発明においては、指標は、点や実線等によって表示される。従って、帳票の種類，用途等に応じて、指標を最適な線等で表示することができる。
【０００９】
【実施例】
以下、図面等を参照して、本発明の一実施例について説明する。
図１は、本発明による帳票の一実施例であるメールフォームの構成を示す図である。図中、（ａ）は表面図、（ｂ）は側面図を示す。図１において、メールフォーム１０は、図中上下方向に連続する連続帳票の一葉である。メールフォーム１０の図中左右両側には、プリンタ等でメールフォーム１０を搬送するためのスプロケット孔が形成されている。
メールフォーム１０は、２枚の連接する帳票片１１と１２とから構成されている。帳票片１２の図中表面側には、受取人の宛名等を印字するための印字領域が形成されている。また、帳票片１１と１２との連接辺には、ミシン目１３が形成されている。ミシン目１３は、切り込み線を不連続に配置したものである。ミシン目１３は、メールフォーム１０の図中上下側の２辺とは交差しないように形成されている。すなわち、ミシン目１３の形成されない（以下、「アンカット」という。）位置を有する。
【００１０】
指標１４（１４ａ，１４ｂ）は、アンカットの範囲及び長さを表示するものである。指標１４は、略十字状に印刷された線である。指標１４の横方向の線は、メールフォーム１０の図中上下側の外縁部の位置を示しており、縦方向の線は、ミシン目１３の延長線上に設定されており、アンカット範囲及び長さを示している。
【００１１】
また、図中（ｂ）に示すように、メールフォーム１０の裏面の略全面には、粘着剤層１５が設けられている。粘着剤層１５は、圧力が与えられることにより、剥離可能かつ剥離後の再粘着不能に接着されるものである。さらに、図示しないが、この裏面側には、メールフォーム１０の受取人に対する親展情報等を印字するための印字領域が設けられている。
【００１２】
次に、このメールフォーム１０の製造方法について説明する。
最初に、メールフォーム１０の基材の各面に、所定の共通情報を印刷する。例えば、帳票片１２側に示した、郵便番号欄や親展情報等である。また、メールフォーム１０に指標１４が印刷される。指標１４は、上述のように略十字状の線であるが、横方向の線は、メールフォーム１０の上下側の外縁部の設定位置に、縦方向の線は、アンカット位置に、かつ、ミシン目１３の設定位置の延長線上に配置されるように印刷される。
続いて、メールフォーム１０の略中央部に、ミシン目が切り込み装置等によって形成される。そして、メールフォーム１０の裏面側の略全面に、粘着剤層１５が設けられる。
【００１３】
完成されたメールフォーム１０のミシン目１３と指標１４とを対比して見れば、アンカット位置が正確であるか否かを一目で判別することができる。すなわち、指標１４の縦方向の線とミシン目１３の端部の位置との間隔又はオーバーラップ量を見ることにより、アンカット位置が正確であるか否かを判別することができる。さらには、指標１４の縦方向の線と、ミシン目１３のラインとのずれ量を見ることにより、ミシン目１３の横方向の位置が正確であるか否かを併せて判別することができる。
【００１４】
このメールフォーム１０の表面，裏面には、それぞれメールフォーム１０の受取人の宛名，親展情報等がプリンタによって印字される。そして、各メールフォーム１０ごとに裁断される。続いて、帳票片１１と１２の裏面側同士が重なるように帳票片１１と１２との連接辺、すなわちミシン目１３が折り返される。そして、圧力が与えられると、粘着剤層１５により、帳票片１１と１２とが密着され、帳票片１１，１２の裏面側に印字された親展情報等が隠蔽される。
このようにして形成されたメールフォーム１０は、通常の郵便葉書と同様にして郵送される。メールフォーム１０の受取人は、帳票片１１と１２とを剥離して、この面に印字された親展情報等を見ることができる。
【００１５】
図２は、本発明によるメールフォーム１０の指標１４の他の実施例を示す図である。指標１４は、図１に示した略十字状の線に限ることなく、種々の線等で表示することができる。図中、（ａ）は、アンカット位置の両端部に点を印刷した例である。図中、（ｂ）は、アンカットの範囲に、実線を印刷した例である。図中、（ｃ）は、アンカットの範囲に、点線（破線、鎖線でも良い）を印刷した例である。また、帳票が図１に示すような連続帳票である場合には、帳票の上下側の外縁部のラインを示す線等と組み合わせて指標１４を表示しても良い。
【００１６】
以上、本発明の一実施例について説明したが、本発明は、上述した実施例に限定されることなく、均等の範囲内で以下のような種々の変形が可能である。
（１）例えば、実施例では、メールフォーム１０に指標を適用した例を示したが、メールフォーム１０以外の、ミシン目を有する種々の帳票（例えば、複写伝票）に適用することができる。
（２）縦方向のミシン目１３のみに指標を設けることに限らず、横方向のミシン目がある場合には、そのミシン目に対しても指標を設けることができる。
（３）さらに、実施例では連続帳票について説明したが、複数枚の帳票片を連接した単票状のものであっても良い。
（４）アンカットは、帳票の端部に限らず、中央部に設けても良い。
【００１７】
【発明の効果】
請求項１の発明によれば、ミシン目が形成されない位置が正確であるか否かを一目で判別することができる。
請求項２の発明によれば、一般のメールフォームに指標を広く適用することができる。また、各帳票の上下側の外縁部を示す線を指標と併せて表示することができる。
請求項３の発明によれば、帳票の種類，用途等に応じて、ミシン目が形成されない位置を、最適な線等で表示することができる。
【図面の簡単な説明】
【図１】本発明による帳票の一実施例であるメールフォームの構成を示す図である。
【図２】本発明によるメールフォーム１０の指標１４の他の実施例を示す図である。
【符号の説明】
１０  メールフォーム
１１，１２  帳票片
１３  ミシン目
１４（１４ａ，１４ｂ）  指標
１５  粘着剤層
【図１】
0003630761.tif 000002
【図２】
0003630761.tif 000003